(57)【特許請求の範囲】
【請求項１】
複数段の床台（１）と、前記各床台を水平状態で移動可能に支持する脚部（２）と、前記脚部（２）に取り付けられた側板（１７）と、を具え、
前記複数段の床台（１）が、互いに階段状にずれる進出位置と、互いに上下方向に整列する後退位置との間で水平状態のまま移動し得るとともに、その進出位置での前記複数段の床台の床材が階段状の通路を形成する、伸縮式の移動観覧席において、
前記脚部（２）は、前記床台（１）に上端部を結合されてその床台から下方に延在する支柱（７）と、その支柱の下端部に結合されて前記床台の前後方向へ延在する脚材（８）と、を有し、
前記側板（１７）は、あらかじめ前記床台（１）の寸法に対応して形成された折り曲げ溝（２０ａ）に沿って折り曲げ形成された縁部（１７ａ）を有しており、
前記縁部（１７ａ）が、前記支柱（７）と前記脚材（８）との少なくとも一方に取り付けられていることを特徴とする、移動観覧席。
【請求項２】
前記側板（１７）を構成する板材（２０）は、化粧板と裏板とで中間材を挟み込んで形成されており、
前記折り曲げ溝（２０ａ）は、前記裏板側から前記中間材まで掘り込まれていることを特徴とする、請求項１記載の移動観覧席。
【請求項３】
前記側板（１７）は、前記支柱（７）を外側から覆うことができる形状に形成されていることを特徴とする、請求項１または２記載の移動観覧席。
【発明の詳細な説明】
【技術分野】
【０００１】
この発明は、複数段の床台が、互いに階段状にずれる進出位置と、互いに上下方向に整列する後退位置との間で水平状態のまま移動する、伸縮式の移動観覧席に関し、特には、その移動観覧席の脚部を側方から覆う側板の構造に関するものである。
【背景技術】
【０００２】
上述の如き移動観覧席としては従来、例えば本願出願人が先に特許文献１にて開示したものが知られており、この移動観覧席は、図１１にその中間の二段について示すように、複数段の床台１と、各床台１を水平状態で移動可能に支持する脚部２と、互いに連結材で連結された複数の座起立型椅子を有して各床台１上に起倒可能に装着された連結椅子３とを具えており、各床台１は、連結椅子３の左右方向に水平に延在する貫材４と、その貫材４の長手方向に間隔が空いた複数の部位に後端部をそれぞれ結合されてその貫材４から連結椅子３の前方向へ水平に突出する複数本の腕材５と、それら複数本の腕材５上に張り渡された床材６とを有し、脚部２は、貫材４の長手方向に間隔が空いた複数の部位に上端部をそれぞれ結合されてその貫材４から下方に延在する複数本の支柱７と、それらの支柱７の下端部に後端部付近をそれぞれ結合されて腕材５と平行に延在する複数本の脚材８と、それらの脚材８の前端部および後端部にそれぞれ設けられた複数個の移動用ローラー９とを有するとともに、高い方の段では支柱７の後面側にその支柱７の補強のための傾斜ブレース１０を有している。
【０００３】
そしてこの移動観覧席は、上記複数本の支柱７の長さが床台１毎に床台１間の段差分ずつ異なるとともに、複数本の支柱７の上端部が結合される貫材４の部位の間隔が床台１毎に少しずつ異なることで、複数段の床台１が、互いに階段状にずれる進出位置と、互いに上下方向に整列する後退位置との間で水平状態のまま移動することができ、その後退位置に移動させる際は、連結椅子３を前方に倒して床材６間に収納する。
【０００４】
このような移動観覧席においては、外観品質の向上のために、床台１の側端部に脚部２を側方から覆う側板を設ける場合が多く、その際、従来は通常、移動観覧席を設置ずる現場で、先ず図１２（ａ）に示すように、適宜ネジ１１を用いて、脚材８に押し出し材からなる延長材１２を取り付けるとともに、支柱７と脚材８とにそれぞれブラケット１３を取り付け、その一方で図１２（ｂ）に示すように、これも押し出し材からなる枠材１４を矩形に組み立て、その枠材１４の内側に縁材１５介して、図１２（ｃ）に示す如き平板状の化粧パネル１６を組み込むとともに、枠材１４に適宜ブラケット１３を取り付けて側板１７を組み立て、その側板１７を支柱７の背面と脚材８および延長材１２の上面とに密着させて支柱７と脚材８と延長材１２とにブラケット１３で固定する、といった方法が採られる。
【先行技術文献】
【特許文献】
【０００５】
【特許文献１】特許第３９０３３５４号
【発明の概要】
【発明が解決しようとする課題】
【０００６】
ところで、本願発明者は上記従来の移動観覧席についてさらに研究を進めたところ、以下の如き改良の余地を見出した。すなわち、上記従来の移動観覧席の側板１７の装着構造では、側板１７を脚部２に装着するために、あらかじめ床台１毎に寸法を合わせて延長材１２と枠材１４と縁材１５と化粧パネル１６とをそれぞれ切断しておき、それらの部品から側板１７を現場で組み立てる必要があって、装着に極めて手間と時間がかかるという不都合があった。
【０００７】
そしてこの問題の解決のために例えばあらかじめ工場等で側板１７を組み立てておいて現場へ搬送することとすると、側板１７が嵩張るため搬送および保管の際に多くの手間と場所とを取ってしまうという問題があった。
【課題を解決するための手段】
【０００８】
この発明は、上記従来の移動観覧席の課題を有利に解決するものであり、この発明の移動観覧席は、複数段の床台と、前記各床台を水平状態で移動可能に支持する脚部と、前記脚部に取り付けられた側板と、を具え、前記複数段の床台が、互いに階段状にずれる進出位置と、互いに上下方向に整列する後退位置との間で水平状態のまま移動し得るとともに、その進出位置での前記複数段の床台の床材が階段状の通路を形成する、伸縮式の移動観覧席において、前記脚部は、前記床台に上端部を結合されてその床台から下方に延在する支柱と、その支柱の下端部に結合されて前記床台の前後方向へ延在する脚材と、を有し、前記側板は、あらかじめ前記床台の寸法に対応して形成された折り曲げ溝に沿って折り曲げ形成された縁部を有しており、前記縁部が、前記支柱と前記脚材との少なくとも一方に取り付けられていることを特徴とするものである。
【発明の効果】
【０００９】
この発明の移動観覧席にあっては、側板が、あらかじめ床台の寸法に対応させて形成された折り曲げ溝に沿って折り曲げ形成された縁部を有しているので、側板となる板材が、工場等であらかじめ床台の寸法に対応して折り曲げ溝を形成され、平板状の状態でその板材の保管および移動観覧席の設置現場への搬送が行われて、その現場で板材が折り曲げ溝に沿って手折りあるいは工具等を用いて折り曲げられて側板の縁部が形成され、その側板の縁部が、各床台を水平状態で移動可能に支持する脚部の、床台に上端部を結合されてその床台から下方に延在する支柱と、その支柱の下端部に結合されて床台の前後方向へ延在する脚材との少なくとも一方に取り付けられる。
【００１０】
従って、この発明の移動観覧席によれば、側板を平板状の板材の状態で積み重ねて保管および搬送できるので、側板の搬送と保管に手間と場所を取ることがなく、しかも現場で枠材を矩形に組み立ててその内側に板材を組み込む必要がないので、側板の組立に手間と時間をかけずに脚部へ装着することができる。
【００１１】
なお、この発明の移動観覧席においては、前記側板を構成する板材は、化粧板と裏板とで中間材を挟み込んで形成されており、前記折り曲げ溝は、前記裏板側から前記中間材まで掘り込まれていても良い。
【００１２】
このようにすれば、折り曲げ溝が板材の裏板側から中間材まで掘り込まれているので、側板の外観をなす化粧板を損なうことなく、板材を人手で容易に折り曲げて側板の縁部を形成することができる。
【００１３】
また、この発明の移動観覧席においては、前記側板は、前記支柱を外側から覆うことができる形状に形成されていても良い。
【００１４】
このようにすれば、側板自体は枠材を持たないので容易に支柱を外側から覆うことができる形状とすることができ、その側板で構造材である支柱を隠すことができるので、移動観覧席の外観品質をさらに向上させることができる。
【図面の簡単な説明】
【００１５】
【図１】この発明の移動観覧席の一実施例をその複数段の床台が互いに階段状にずれた進出位置にある状態で示す正面図である。
【図２】上記実施例の移動観覧席をその複数段の床台が互いに階段状にずれた進出位置にある状態で示す平面図である。
【図３】上記実施例の移動観覧席をその複数段の床台が互いに階段状にずれた進出位置にある状態で示す側面図である。
【図４】上記実施例の移動観覧席をその複数段の床台が互いに階段状にずれた進出位置にある状態で、椅子を省略して示す背面図である。
【図５】上記実施例の移動観覧席をその複数段の床台が互いに階段状にずれた進出位置にある状態で示す底面図である。
【図６】上記実施例の移動観覧席をその複数段の床台が互いに上下方向に整列した後退位置にある状態で一部の側板を省略して示す側面図である。
【図７】（ａ）は、上記実施例の移動観覧席の床台の側板組み付け前の脚部を示す分解斜視図、（ｂ）および（ｃ）は、その脚部への組み付け前の側板、およびその側板を組み付けた状態の脚部をそれぞれ示す斜視図である。
【図８】上記側板組み付け前の脚部を示す側面図である。
【図９】（ａ）は、上記実施例の移動観覧席の床台に用いられる側板を形成する平板状態の板材を示す平面図であり、（ｂ），（ｃ），（ｄ），（ｅ）および（ｆ）は、その板材から縁部を折り曲げ形成した側板を示す平面図、正面図、下面図、左側面図および右側面図である。
【図１０】（ａ）および（ｂ）は、上記側板を組み付けた脚部を示す平面図および側面図である。
【図１１】従来の移動観覧席の中間の二段の構成を示す斜視図である。
【図１２】（ａ），（ｂ）および（ｃ）は、上記従来の移動観覧席の中間の床台の側板組み付け前の脚部、側板用の枠材および側板用の化粧板をそれぞれ示す分解斜視図、（ｄ）は、その脚部に側板を組み付けた状態を示す斜視図である。
【発明を実施するための形態】
【００１６】
以下、この発明の実施の形態を図面に基づく実施例によって詳細に説明する。ここに、図１は、この発明の移動観覧席の一実施例をその複数段の床台が互いに階段状にずれた進出位置にある状態で示す正面図、図２は、上記実施例の移動観覧席をその複数段の床台が互いに階段状にずれた進出位置にある状態で示す平面図、図３は、上記実施例の移動観覧席をその複数段の床台が互いに階段状にずれた進出位置にある状態で示す側面図である。
【００１７】
また、図４は、上記実施例の移動観覧席をその複数段の床台が互いに階段状にずれた進出位置にある状態で、椅子を省略して示す背面図、図５は、上記実施例の移動観覧席をその複数段の床台が互いに階段状にずれた進出位置にある状態で示す底面図、そして図６は、上記実施例の移動観覧席をその複数段の床台が互いに上下方向に整列した後退位置にある状態で示す側面図である。
【００１８】
この実施例の移動観覧席も、図１１に示す従来の移動観覧席と同様、複数段（図示例では５段）の床台１と、各床台１を水平状態で移動可能に支持する脚部２と、互いに連結材で連結された複数の座起立型椅子２３を有して各床台１上に起倒可能に装着された連結椅子３とを具えており、各床台１は、連結椅子３の左右方向に水平に延在する貫材４と、その貫材４の長手方向に間隔が空いた複数の部位に後端部をそれぞれ結合されてその貫材４から連結椅子３の前方向へ水平に突出する複数本の腕材５と、それら複数本の腕材５上に張り渡された床材６とを有し、脚部２は、貫材４の長手方向に間隔が空いた複数の部位に上端部をそれぞれ結合されてその貫材４から下方に延在する複数本の支柱７と、それらの支柱７の下端部に後端部付近をそれぞれ結合されて腕材５と平行に床台１の前後方向へ延在する複数本の脚材８と、それらの脚材８の前端部および後端部にそれぞれ設けられた複数個の移動用ローラー９とを有するとともに、下から４段目と５段目の段では支柱７の後面側に貫材４の補強のための傾斜ブレース１０を有している。
【００１９】
そしてこの実施例の移動観覧席においても、図４に示すように、上記複数本の支柱７の長さが床台１毎に床台１間の段差分ずつ異なって、床台１が低くなるにつれて支柱７の長さが短くなるとともに、複数本の支柱７の上端部が結合される貫材４の部位の間隔が床台１毎に少しずつ異なって、床台１が低くなるにつれて支柱７の間隔が短くなることで、複数段の床台１が、図１に示す、互いに階段状にずれる進出位置と、図６に示す、互いに上下方向に整列する後退位置との間で水平状態のまま移動できる。
【００２０】
そして、下から３段目の床台１の脚材８の両外側には、床面Ｆ上に固設された４本のガイドレール２４とそれぞれ当接する小さなガイドローラーが設けられていて、それらのガイドローラーとガイドレール２４との当接による案内により、各床台１は所定方向へ進退移動することができ、図６に示すように後退位置に移動させる際は、各連結椅子３を前方に倒して床材６間に収納する。なお、この実施例の移動観覧席では、最上段の床台１は、連結椅子３を設けられずに下から４段目の床台１と一体とされて、支柱７の下のガイドレール２４を介して床面Ｆ上に固定されている。
【００２１】
しかしてこの実施例の移動観覧席では、図３および図６に示すように、各床台１の両側端部に設けられた受け部材２１に手摺２２が着脱可能に装着されるとともに、各床台１の両外側の脚部２に側板１７が設けられている。
【００２２】
図７（ａ）は、この実施例の移動観覧席の床台１の側板組み付け前の脚部２を示す分解斜視図、（ｂ）および（ｃ）は、その脚部２への組み付け前の側板１７、およびその側板１７を組み付けた状態の脚部２をそれぞれ示す斜視図であり、図８は、その側板組み付け前の脚部２を示す側面図である。
【００２３】
各床台１の側板組み付け前の脚部２には、図１２（ａ）に示す従来の移動観覧席の脚部２と同様、適宜ネジ１１を用いて、脚材８の後端部に例えば角筒状の延長材１２を取り付けるとともに、この実施例では、水平に配置したアングル材状の支持材１８の基端部を支柱７の上端部に取り付け、さらに脚材８および延長材１２に沿って配置したこれもアングル材状の挟み材１９を、それら脚材８および延長材１２上に取り付け可能とする。
【００２４】
一方、各脚部２に組み付ける側板１７には、図７（ｂ）および図９に示す如きものを用いる。図９（ａ）は、上記実施例の移動観覧席の各脚部２に用いる側板１７を形成する平板状態の板材２０を示す平面図、また図９（ｂ），（ｃ），（ｄ），（ｅ）および（ｆ）は、その板材２０から縁部１７ａを折り曲げて形成した側板１７を示す平面図、正面図、下面図、左側面図および右側面図である。
【００２５】
ここで、側板１７を構成する板材２０は、従来の化粧パネル１６と同様、化粧板と裏板とで中間材を挟み込んで形成されており、この板材２０は、あらかじめ工場等で、その側板１７が取り付けられる床台１の支柱７の高さや脚材８および延長材１２の長さ等の寸法に対応した外形寸法に切り出されるとともに、例えばＮＣフライス盤等を用いて、その板材２０の周辺部に各辺に沿って直線状に、図９（ａ）に二点鎖線で示すように、断面略Ｖ字状の折り曲げ溝２０ａを、裏板側から中間材までの深さに掘り込まれている。
【００２６】
さらに、この板材２０には、後述する縁部１７ａの、脚部２の支柱７の基部との干渉防止および、支柱７に床台１の貫材４を取り付けるボルトとの干渉防止のためにそれぞれ切り欠き部２０ｂが形成され、また、図示例では右端上下の角部が隣接する縁部１７ａ同士の繋ぎ代となるように、周辺部に適宜切込みが設けられ、そして、縁部１７ａ同士の繋ぎや支柱７、脚材８および延長材１２への取り付け用に、周辺部に適宜ネジ孔が設けられている。
【００２７】
この実施例の移動観覧席では、かかる板材２０を平板状のまま積み重ねて倉庫等に保管し、移動観覧席の設置の際には平板状のまま積み重ねて設置現場へ搬送する。そしてその設置現場では先ず、図７（ａ）および図８に示すように、適宜ネジ１１を用いて、脚部２の脚材８の後端部に延長材１２を取り付けるとともに、脚部２の支柱７の上端部に支持材１８の基端部を取り付け、その一方で、板材２０の周辺部を直線状の折り曲げ溝２０ａに沿って手折りあるいは工具等を用いて裏板側へ直角に折り曲げ、図示例では右端上下の角部の繋ぎ代を隣接する縁部１７ａにネジ留めして、上側および下側の縁部１７ａと図示例では右側方の縁部１７ａとを繋ぐことで、図７（ｂ）および図９（ｂ）〜（ｆ）に示すように、四辺に縁部１７ａを持つトレイ状をなすとともに、表側が化粧板からなる矩形の側板１７を形成する。
【００２８】
なお、この側板１７には、脚部２の支柱７の基部との干渉防止および、支柱７に床台１の貫材４を取り付けるボルトとの干渉防止のための逃げ部１７ｂが、上記切り欠き部２０ｂによって形成されている。
【００２９】
次いでこの実施例の移動観覧席では、図１０（ａ），（ｂ）に示すように、上記側板１７の上側の縁部１７ａを、脚部２の支柱７の上端部に水平に設けた支持材１８に上から被せて、その側板１７の上側の縁部１７ａを裏側から支持材１８で支持し、また、その側板１７の下側の縁部１７ａの逃げ部１７ｂに支柱７の基部を遊嵌させるとともにその側板１７の図示例では左側方の縁部１７ａの逃げ部１７ｂに上記貫材４の取り付けボルトを遊嵌させつつ、その側板１７の左側方の縁部１７ａを支柱７にその前面側から被せてその前面に密着させて、その側板１７の左側方の縁部１７ａを裏側から支柱７で支持し、それと同時に支柱７を移動観覧席の外側から側板１７で覆って、その側板１７の下側の縁部１７ａを、脚材８および延長材１２の上面に密着させ、その状態で、側板１７の上側の縁部１７ａを支持材１８に、また側板１７の左側方の縁部１７ａを支柱７に、それぞれネジ１１で締着固定し、側板１７の下側の縁部１７ａはその内側に配した挟み材１９を介して、脚材８および延長材１２の上面にネジ１１で締着固定することで、図７（ｃ）に示すように、側板１７を脚部２に装着固定する。
【００３０】
従ってこの実施例の移動観覧席によれば、側板１７を平板状の板材２０の状態で積み重ねて保管および搬送できるので、側板１７の搬送と保管に手間と場所を取ることがなく、しかも現場で枠材を矩形に組み立ててその内側に板材を組み込む必要がないので、側板１７の組立に手間と時間をかけずに脚部２へ装着することができる。
【００３１】
しかもこの実施例の移動観覧席によれば、側板１７を構成する板材２０は、化粧板と裏板とで中間材を挟み込んで形成されており、折り曲げ溝２０ａは、その裏板側から中間材まで掘り込まれているので、側板１７の外観をなす化粧板を損なうことなく、板材２０を人手で容易に折り曲げて側板１７の縁部１７ａを形成することができる。
【００３２】
しかもこの実施例の移動観覧席によれば、側板１７自体は枠材を持たないので、支柱７を外側から覆うことができるようにする逃げ部１７ｂを容易に形成することができ、その側板１７で構造材である支柱７を隠すことができるので、移動観覧席の外観品質をさらに向上させることができる。
【００３３】
以上、図示例に基づき説明したが、この発明は上述の例に限定されるものでなく、特許請求の範囲の記載範囲内で適宜変更し得るものであり、例えば、上記実施例では移動観覧席は床台１が５段で、最上段の床台１には連結椅子３が設けられていないが、床台１の段数がこれと異なっていても良く、また最上段まで連結椅子３が設けられていても良い。さらにこの発明における移動観覧席は、床台上に起倒可能に椅子を設置したものでなく、床台上に座部だけを取り付けたベンチ型の移動観覧席や、床台上にスタッキングチェア等の可搬型の椅子を並べられかつ床台上を他の目的でも用い得るように床台上に椅子が設置されていない移動観覧席であっても良い。
【００３４】
そして、上記実施例では側板１７が支柱７を覆っているが、側板１７は支柱７の背面と脚材８および延長材１２の上面とに縁部１７ａを密着させて取り付けても良く、その場合には側板１７に逃げ部１７ｂを設けなくても良い。また、上記実施例では現場で脚部２に延長材１２と支持材１８とを取り付けているが、これらをあらかじめ工場等で脚部２に取り付けておいても良い。そして折り曲げ溝２０ａの断面形状は、略Ｖ字状でなく通常のボールエンドミルに対応する略Ｕ字状としても良い。
【００３５】
さらに側板１７は、上記実施例では支持材１８を介して支柱７に取り付けられるとともに延長材１２を介して脚材８にも取り付けられているが、支柱７と脚材８との何れか一方に取り付けられていても良い。また側板１７は、延長材１２を介して脚材８に取り付けられているが、脚材８自体を後方へ延長することで延長材１２を省略しても良く、そして側板１７は、挟み材１９と脚材８および延長材１２とで縁部１７ａを挟んでネジ１１で脚材８および延長材１２の上面に締着固定しているが、挟み材１９を省略して縁部１７ａを直接ネジ１１で脚材８および延長材１２の上面に締着固定しても良い。
【産業上の利用可能性】
【００３６】
かくしてこの発明の移動観覧席によれば、側板を平板状の板材の状態で積み重ねて保管および搬送できるので、側板の搬送と保管に手間と場所を取ることがなく、しかも現場で枠材を矩形に組み立ててその内側に板材を組み込む必要がないので、側板の組立に手間と時間をかけずに脚部へ装着することができる。
【符号の説明】
【００３７】
１  床台
２  脚部
３  連結椅子
４  貫材
５  腕材
６  床材
７  支柱
８  脚材
９  移動用ローラー
１０  傾斜ブレース
１１  ネジ
１２  延長材
１３  ブラケット
１４  枠材
１５  縁材
１６  化粧パネル
１７  側板
１７ａ  縁部
１７ｂ  逃げ部
１８  支持材
１９  挟み材
２０  板材
２０ａ  折り曲げ溝
２０ｂ  切り欠き部
２１  受け部材
２２  手摺
２３  座起立型椅子
２４  ガイドレール
F  床面
【図１】
0005228210.tif 000002
【図２】
0005228210.tif 000003
【図３】
0005228210.tif 000004
【図４】
0005228210.tif 000005
【図５】
0005228210.tif 000006
【図６】
0005228210.tif 000007
【図７】
0005228210.tif 000008
【図８】
0005228210.tif 000009
【図９】
0005228210.tif 000010
【図１０】
0005228210.tif 000011
【図１１】
0005228210.tif 000012
【図１２】
0005228210.tif 000013